(57)【要約】【課題】  いずれの角度からでも信号表示ランプを確認でき、且つ光ケーブルと電源コードを確実に保護する光回線端末装置を提供する。【解決手段】  基板と第１光ケーブルの光ケーブル入り口とを有する該光ケーブルラックを収納本体内に固定し、該光ケーブルラック内に該固定板と該弾性パッドを設け、該固定板と該弾性パッドで該第１光ケーブルを挟持して該基板上に固定し、且つ該第１光ケーブルが、支持線を有し、該固定板と該弾性パッドとの間を通過した第１光ケーブルの支持線をネジで該支持線を該基板に固定し、係る収納本体に上カバーを設け、該収納本体内の基板上に複数の信号表示ランプを設け、且つ該上カバーの一端に傾斜面を形成し、該信号表示ランプが該上カバーの傾斜面の境上に位置するように設けてなり、さらに該収納本体の一端にＵ字状の溝を形成し、電源コードが該Ｕ字状溝を経て電源挿入口を通過して該収納本体内に至るように構成する。【選択図】  図１
0003117716.tif 000002
【実用新案登録請求の範囲】
【請求項１】
収納本体と、該収納本体に係合される上カバーとを含んでなり、前記収納本体内に複数の信号表示ランプを有する基板が取り付けられており、前記上カバーの一端には傾斜面が形成されており、前記信号表示ランプが、前記上カバーの前記傾斜面の境上に位置するように設けられていることを特徴とする光回線端末装置。
【請求項２】
前記収納本体の一端にはＵ字状の溝が形成されており、電源コードが前記該Ｕ字状溝を経て電源挿入口を通過して該収納本体内に至ることを特徴とする請求項１に記載の光回線端末装置。
【請求項３】
前記光回線端末装置は、平板状のベース部と、該ベース部の一面から垂直方向に延在して形成された一対の挟持壁とによってなる支持部材上に支持されており、前記挟持壁の一方には内側に突起した凸ブロックが形成され、前記収納本体背面の両端にはそれぞれ収納孔が形成されており、前記支持部材の前記一対の挟持壁の間に前記光回線端末装置を挟持し、かつ前記凸ブロックが前記収納本体の収納孔内に係合されていることを特徴とする請求項１に記載の光回線端末装置。
【請求項４】
前記光回線端末装置が、壁面取付け用の取付け部材に取り付けられ、該取付け部材は、横板の両端にそれぞれネジ孔を穿設すると共に、両端縁部を内方に湾曲し、その先端から上方向に延在している固定脚が形成されており、且つ前記収納本体背面の両端には、それぞれ収納孔が形成されており、前記固定脚が前記収納孔から前記収納本体内に導入されていることを特徴とする請求項１に記載の光回線端末装置。
【請求項５】
前記収納本体内に光ケーブルラックを固定し、前記光ケーブルラックが、基板と、第１光ケーブルが前記光ケーブルラック内に進入するための光ケーブル入り口とを含んでなり、前記第１光ケーブルと基板との間に弾性パッドが設けられていると共に、前記第１光ケーブル上には固定板が設けられており、前記固定板と前記弾性パッドとによって前記第１光ケーブルが挟持されて前記基板上に固定されていることを特徴とする請求項１から請求項４のいずれか１項に記載の光回線端末装置。
【請求項６】
前記第１光ケーブルが、前記固定板と前記弾性パッドとに近接した部分に支持線を備えており、前記固定板と前記弾性パッドとの間を通過した前記支持線の保護層を除去し、前記支持線をネジによって前記基板に固定していることを特徴とする請求項５に記載の光回線端末装置。
【請求項７】
前記第１光ケーブルが溶接スリーブ内で第２光ケーブルに溶着されて、前記光ケーブルラックに固定されていることを特徴とする請求項５に記載の光回線端末装置。
【請求項８】
前記基板が略長方形を為し、該基板の４つの側辺が上方に延在されて４つの側壁が形成されており、一の前記側壁には光ケーブル入り口が形成されており、前記４つの側壁の上端縁部からは、内側に向かって水平方向にせり出すと共に先端から下方に向かって垂直に延在している複数の固定爪が形成されており、前記光ケーブル入り口に対向する側壁に近接した位置にはケーブル巻きつけ部が形成されており、該ケーブル巻きつけ部の上端縁部からは、外方に向かって水平にせり出すと共に先端から下方に向かって垂直に延在している複数の固定爪が形成されており、前記光ケーブル入り口に近接した位置に、上方に壁面状に突設され、且つ上面視円弧状を為す２つの円弧状部が形成されており、前記2つの円弧状部の上端縁部には、外方に向かって水平方向にせり出すと共に先端から下方に向かって垂直に延在している複数の固定爪が形成されており、これら固定爪によって前記光ケーブルを固定する通路が形成されていることを特徴とする請求項５に記載の光回線端末装置。
【請求項９】
前記光ケーブルラックの一側壁には、外方に突設された凸テーブルが形成されており、該凸テーブルの内側の略中間の位置には、左右両方向にやや傾斜して延在している一対の翼部が形成されており、該翼部の末端は前記側壁と略平行とされており、前記基板の前記凸テーブルに対応する位置に当接壁を形成し、該当接壁と前記凸テーブルとの間に固定通路が形成されており、前記第１光ケーブルは、前記光ケーブル入り口から前記光ケーブルラック内に案内され、前記固定爪によって形成される通路に沿って延在されると共に、前記ケーブル巻きつけ部を通過して、前記溶接スリーブ内で前記第２光ケーブルに溶接され、且つ前記溶接スリーブを前記当接壁と前記凸テーブルとの間に形成される固定通路に固定されていることを特徴とする請求項８に記載の光回線端末装置。
【請求項１０】
前記光ケーブルラックの側壁の前記固定板と前記弾性パッドとに近接した位置を切欠いて、切欠き口が形成されていることを特徴とする請求項６に記載の光回線端末装置。
【考案の詳細な説明】
【技術分野】
【０００１】
この考案は、光ケーブル通信用の装置に関し、特に外部の光ケーブルをクライアント端末に接続する場合に用いる光回線端末装置に関する。
【背景技術】
【０００２】
光回線端末装置（Optical Network Unit）は、光ケーブルを光回線端末に接続する場合に必要となる装置である。光ケーブル通信の幹線からクライアント端末に接続する場合、一般には光通信ネットワークが正常に作動しているか否かをクライアントに示す信号表示ランプが設けられている。従来の光回線端末装置は立方体を呈し、信号表示ランプは上面、もしくは側面に設けられている。かかる位置に設けることによって、クライアントは信号表示ランプの設けてある方向に向かって信号表示ランプの表示をはっきりと見ることができる。光回線端末装置に電源からの電力を提供するための電源線は、電源挿入口を介して電源に接続される。よって、電源線が外部からの力を受けると挿入口から容易に脱落する。このため、光回線端末装置が作動しなくなるという問題が生じていた。
【０００３】
光ケーブルはガラス材によってなる。光回線端末装置内の光ケーブル端末は、衝撃を受けると破損を免れることができない。従来の技術による光ケーブルラックは、ほとんどが光ケーブル通信に用いられ、それぞれの光ケーブルラックは、千本前後の光ケーブルを支持している（特許文献１、特許文献２参照）。よって、光ケーブルをクライアント端末に接続する場合に適さない。従って、光ケーブルのクライアント端末に対する接続に適し、安全で信頼性が高く、複数の角度から信号表示ランプを確認できる光回線端末装置が必要である。
【特許文献１】中国特許出願第０２２６８２３６号明細書
【特許文献２】中国特許出願第９９２３８９７１号明細書
【考案の開示】
【考案が解決しようとする課題】
【０００４】
この考案は、いずれの角度からでも信号表示ランプを確認できる光回線端末装置を提供することを課題とする。
【０００５】
またこの考案は、光ケーブルと電源コードを保護し、信頼性を維持できる光回線端末装置を提供することを課題とする。
【課題を解決するための手段】
【０００６】
そこで本考案者は、従来の技術に鑑み鋭意研究を重ねた結果、基板と第１光ケーブルの光ケーブル入り口とを有する光ケーブルラックを収納本体内に固定し、前記光ケーブルラック内に固定板と弾性パッドとを設け、前記固定板と前記弾性パッドとで前記第１光ケーブルを挟持して前記基板上に固定し、且つ前記第１光ケーブルが、支持線を備えており、前記固定板と前記弾性パッドとの間を通過した前記第１光ケーブルの支持線を、ネジによって前記基板に固定し、前記収納本体に係合される上カバーを設け、前記収納本体内の前記基板上に複数の信号表示ランプを設け、且つ前記上カバーの一端に傾斜面を形成し、前記信号表示ランプが前記上カバーの傾斜面の境上に位置するように設けてなり、さらに前記収納本体の一端にＵ字状の溝を形成し、電源コードが前記Ｕ字状溝を経て電源挿入口を通過して前記収納本体内に至るように構成された光回線端末装置の構造によって課題を解決できる点に着眼し、係る知見に基づき本考案を完成させた。
以下、この考案について具体的に説明する。
【０００７】
請求項１に記載する光回線端末装置は、収納本体と、該収納本体に係合される上カバーとを含んでなり、前記収納本体内に複数の信号表示ランプを有する基板が取り付けられており、前記上カバーの一端には傾斜面が形成されており、前記信号表示ランプが、前記上カバーの前記傾斜面の境上に位置するように設けられていることを特徴とするものである。
【０００８】
請求項２に光回線端末装置は、請求項１における収納本体の一端にＵ字状の溝が形成されており、電源コードが前記該Ｕ字状溝を経て電源挿入口を通過して該収納本体内に至ることを特徴とするものである。
【０００９】
請求項３に記載する光回線端末装置は、請求項１における光回線端末装置が、平板状のベース部と、該ベース部の一面から垂直方向に延在して形成された一対の挟持壁とによってなる支持部材上に支持されており、前記挟持壁の一方には内側に突起した凸ブロックが形成され、前記収納本体背面の両端にはそれぞれ収納孔が形成されており、前記支持部材の前記一対の挟持壁の間に前記光回線端末装置を挟持し、かつ前記凸ブロックが前記収納本体の収納孔内に係合されていることを特徴とするものである。
【００１０】
請求項４に記載する光回線端末装置は、請求項１における光回線端末装置が、壁面取付け用の取付け部材に取り付けられ、該取付け部材は、横板の両端にそれぞれネジ孔を穿設すると共に、両端縁部を内方に湾曲し、その先端から上方向に延在している固定脚が形成されており、且つ前記収納本体背面の両端には、それぞれ収納孔が形成されており、前記固定脚が前記収納孔から前記収納本体内に導入されていることを特徴とするものである。
【００１１】
請求項５に記載する光回線端末装置は、請求項１から請求項４のいずれか１項に記載の収納本体内に光ケーブルラックを固定し、前記光ケーブルラックが、基板と、第１光ケーブルが前記光ケーブルラック内に進入するための光ケーブル入り口とを含んでなり、前記第１光ケーブルと基板との間に弾性パッドが設けられていると共に、前記第１光ケーブル上には固定板が設けられており、前記固定板と前記弾性パッドとによって前記第１光ケーブルが挟持されて前記基板上に固定されていることを特徴とするものである。
【００１２】
請求項６に記載する光回線端末装置は、請求項５における第１光ケーブルが、前記固定板と前記弾性パッドとに近接した部分に支持線を備えており、前記固定板と前記弾性パッドとの間を通過した前記支持線の保護層を除去し、前記支持線をネジによって前記基板に固定していることを特徴とするものである
【００１３】
請求項７に記載する光回線端末装置は、請求項５における第１光ケーブルが溶接スリーブ内で第２光ケーブルに溶着されて、前記光ケーブルラックに固定されていることを特徴とするものである。
【００１４】
請求項８に記載する光回線端末装置は、請求項５における基板が略長方形を為し、該基板の４つの側辺が上方に延在されて４つの側壁が形成されており、一の前記側壁には光ケーブル入り口が形成されており、前記４つの側壁の上端縁部からは、内側に向かって水平方向にせり出すと共に先端から下方に向かって垂直に延在している複数の固定爪が形成されており、前記光ケーブル入り口に対向する側壁に近接した位置にはケーブル巻きつけ部が形成されており、該ケーブル巻きつけ部の上端縁部からは、外方に向かって水平にせり出すと共に先端から下方に向かって垂直に延在している複数の固定爪が形成されており、前記光ケーブル入り口に近接した位置に、上方に壁面状に突設され、且つ上面視円弧状を為す２つの円弧状部が形成されており、前記2つの円弧状部の上端縁部には、外方に向かって水平方向にせり出すと共に先端から下方に向かって垂直に延在している複数の固定爪が形成されており、これら固定爪によって前記光ケーブルを固定する通路が形成されていることを特徴とするものである。
【００１５】
請求項９に記載する光回線端末装置は、請求項８における光ケーブルラックの一側壁に、外方に突設された凸テーブルが形成されており、該凸テーブルの内側の略中間の位置には、左右両方向にやや傾斜して延在している一対の翼部が形成されており、該翼部の末端は前記側壁と略平行とされており、前記基板の前記凸テーブルに対応する位置に当接壁を形成し、該当接壁と前記凸テーブルとの間に固定通路が形成されており、前記第１光ケーブルは、前記光ケーブル入り口から前記光ケーブルラック内に案内され、前記固定爪によって形成される通路に沿って延在されると共に、前記ケーブル巻きつけ部を通過して、前記溶接スリーブ内で前記第２光ケーブルに溶接され、且つ前記溶接スリーブを前記当接壁と前記凸テーブルとの間に形成される固定通路に固定されていることを特徴とするものである。
【００１６】
請求項１０に記載する光回線端末装置は、請求項６における光ケーブルラックの側壁の前記固定板と前記弾性パッドとに近接した位置を切欠いて、切欠き口が形成されていることを特徴とするものである。
【考案の効果】
【００１７】
本考案の光回線端末装置は、いずれの角度からでも信号表示ランプを確認でき、使用上便利であると共に、光ケーブルと電源コードを確実に保護して、光ケーブルの脱落、切断などを防ぐことができるという利点がある。
【考案を実施するための最良の形態】
【００１８】
図２に開示するように、この考案による光回線端末装置における光ケーブルラック１は、基板１０を備えている。基板１０は略長方形を為し、この基板１０の４つの側辺が上方に延在されて４つの側壁１２１、１２２、１２３、１２４が形成されている。図２の右側の側壁１２１には、上から下に向かってＵ字状の切欠き溝１１が形成されている。切欠き溝１１はプロバイダの提供する３ｍｍの光ケーブルの入り口とされている。４つの側壁の上端縁部からは、内側に向かって水平方向にせり出すと共に先端から下方に向かって垂直に延在している複数の固定爪１３が形成されている。これら固定爪１３は光ケーブルに固定的な経路を提供するものである。また、基板１０には図面の左側にケーブル巻きつけ部１４が形成されている。ケーブル巻きつけ部１４の上端縁部からも、外方に向かって水平にせり出すと共に先端から下方に向かって垂直に延在している複数の固定爪１３が形成されている。
【００１９】
基板１０の右側の側壁１２１に近接した位置には、上方に壁面状に突設され、且つ上面視円弧状を為す２つの円弧状部１５が形成されている。これら二つの円弧状部１５の上端縁部にも、側壁１２１側に向かって水平方向にせり出すと共に先端から下方に向かって垂直に延在している複数の固定爪１３が形成されている。
【００２０】
側壁１２４には、図２の左側の側壁１２３に近接した位置に光ケーブルの出口１６が形成されている。また、側壁１２４には、略中間の位置で外方に突設された凸テーブル１７が形成されている。この凸テーブル１７の内側の略中間の位置には、左右両方向にやや傾斜して延在している一対の翼部１８が形成されている。この翼部１８の末端は側壁１２４と略平行とされている。また、基板１０の凸テーブル１７に対応する位置には当接壁１９が形成されており、この当接壁１９と凸テーブル１７との間に溶接スリーブを収容するための固定通路が形成されている（図２参照）。
【００２１】
図３に開示するように、３mmの光ケーブル２０をＵ字状の切欠き溝１１から光ケーブルラック１内に引き込み、固定爪１３によって形成される経路に沿って巻き付け部１４に巻きつけ、溶接スリーブ２２内で３mmの光ケーブル２０と、０．９mmの光ケーブル２１とを溶接し、溶接スリーブ２２を当接壁１９と凸テーブル１７との間に形成される固定通路に固定する。
【００２２】
０．９mmの光ケーブル２１は、４つの側壁の円弧状部１５の固定爪１３によって形成される通路に沿って進み、巻き付け部１４を一回りして光ケーブル出口１６から外部に出る。
【００２３】
図２において、右側の側壁１２１に近接した位置では、３mmの光ケーブル２０と基板１０との間にゴムパッド２を設け、３ｍｍの光ケーブル２０上には固定板３を設けて、該固定板３とゴムパッド２とで３ｍｍの光ケーブル２０を挟持している。固定板３とゴムパッド２と基板１０とは、それぞれ対応する位置に２つのネジ孔を穿設し、ネジ５で固定板３とゴムパッド２とを基板１０に固定している。
【００２４】
３ｍｍの光ケーブル２０は、Ｕ字状の切欠き溝１１に近接した部分に支持線２３を有し、該固定板３とゴムパッド２との間を通過した３ｍｍの光ケーブル２０の支持線２３の保護層を除去し、ネジ５で支持線２３を基板１０に固定している。従って、この３ｍｍの光ケーブル２０は基板１０に確実に固定されることとなる。
【００２５】
また、切欠き口４５が、側壁１２２の固定板３とゴムパッド２とに近接した位置を切欠いて形成されている。光ケーブルを取り付ける場合、該切欠き口４５から光ケーブルラック１内に指を入れて作業の便を図ることができる。
【００２６】
光ケーブルラック１は収納本体２７内に取り付けられている。０．９ｍｍの光ケーブル２１は光ケーブルラック１から出た後、アダプタ２４に接続され、第２巻き付け部２５を経て、収納本体２７の回路ボード４４に設けられた光電コンバータ２６に接続されている。また、回路ボード４４には複数の信号表示ランプ２８が設けられている。該信号表示ランプ２８は発光ダイオードとすることができる。
【００２７】
図１に開示するように、収納本体２７には上カバー２９が係合されている。光ケーブルラック１は、収納本体２７と上カバー２９との間に形成される空間に収納されている。上カバー２９の一端には傾斜面３０が形成されており、信号表示ランプ２８は上カバー２９の傾斜面３０の境上に位置するように設けられている。よって、上から見ても、左側から見ても信号表示ランプ２８をはっきり確認することができる。
【００２８】
図４に開示するように、収納本体２７の背面の前後両側には「エ」字状の収納孔３２が穿設されており、同図の右側にはＵ字状溝３３が形成されている。電源コードはこのＵ字状溝３３を経て、さらに電源挿入口（図示しない）を通過して収納本体２７内に至る。よって、光回線端末装置が如何なる設置条件にあろうとも、電源コードを介して継続的に電源を供給することができる。
【００２９】
この考案による光回線端末装置は、図５に開示する支持部材３４で支持することもできる。この支持部材３４は、平板状のベース部３５と、該ベース部３５の一面から垂直方向に延在して形成された一対の挟持壁３６とを備えている。また、一方の挟持壁３６には内側に突設された凸ブロック３７が形成されている。光回線端末装置を支持フレーム３４上に支持させる際には、支持部材の２つの挟持壁３６の間に光回線端末装置を挟持し、かつ凸ブロック３７を収納本体２７の収納孔３２内に係合させる。
【００３０】
光回線端末装置の支持に関して、図６、７を参照にして他の実施形態を説明する。この実施形態では、壁面取付け用の取付け部材４０を以って支持部材３４の代替としている。取付け部材４０の横板４２の両端には、それぞれネジ孔４１が穿設されていると共に、両端縁部を内方に湾曲し、その先端から上方向に延在された固定脚４３が形成されている。取付けを行う場合には、これら固定脚４３が収納孔３２から収納本体２７内に導入されて、光回線端末装置が壁面に固定される。
【００３１】
この考案による光回線端末装置は、上蓋と信号表示ランプとに独特な傾斜面を形成している。このため、壁に掛けても、机上に置いても、内部の作動情報を反映して発光する信号表示ランプが如何なる角度からもはっきりと確認することができる。また、電源コードはＵ字状溝を通じて収納本体に収容されているので、電源コードが収納本体から脱落することなく、光回線端末装置が如何なる設置条件にあっても連続的な電源供給を確保することができる。また、光ケーブルは、ゴムパッドと緊密に圧接されており、ゴムパッド及び固定板と共にネジで基板に固定されているのに加えて、支持線がネジで固定されているので、二重の保護が得られる。
【００３２】
また、光ケーブルは、光ケーブルラック内で溶接スリーブによって固定されているので、光ケーブルは確実に保護され、光回線端末装置が落下したり、その他外部からの力を受けたりしても、折損することがない。さらに、多種の光ケーブル溶接管を使用しているため、光ケーブルの長さを適宜に調整することができ、光ケーブルが光ケーブルラックから予期せず外れることを防ぐことができると共に光ケーブルの取り外しを容易に行うことができる。
【００３３】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案請求の範囲に属するものとする。
【図面の簡単な説明】
【００３４】
【図１】この考案による光回線端末装置の外観を示した斜視図である。
【図２】この考案における光ケーブルラックの斜視図である。
【図３】図２に開示する光ケーブルラックを収納本体に収納した状態を示した説明図である。
【図４】この考案による光回線端末装置の背面図である。
【図５】この考案における支持部材を示した斜視図である。
【図６】この考案における取り付け部材を取り付けた状態を示した背面図である。
【図７】図６に開示する取り付け部材を示した斜視図である。
【符号の説明】
【００３５】
１  光ケーブルラック
２  ゴムパッド
３  固定板
５  ネジ
１０  基板
１１  切欠き溝
１３  固定爪
１４  ケーブル巻きつけ部
１５  円弧状部
１７  凸テーブル
１８  翼部
１９  当接壁
２０  光ケーブル
２１  内光ケーブル
２２  溶接スリーブ
２３  支持線
２４  アダプタ
２５  第２巻き付け部
２６  光電コンバータ
２７  収納本体
２８  信号表示ランプ
２９  上カバー
３０  傾斜面
３２  収納孔
３３  Ｕ字状溝
３４  支持部材
３５  ベース部
３６  挟持壁
３７  凸ブロック
４０  取付け部材
４１  ネジ孔
４２  横板
４３  固定脚
４４  回路ボード
４５  切欠き口
１２１、１２２、１２３、１２４  側壁
【図１】
0003117716.tif 000003
【図２】
0003117716.tif 000004
【図３】
0003117716.tif 000005
【図４】
0003117716.tif 000006
【図５】
0003117716.tif 000007
【図６】
0003117716.tif 000008
【図７】
0003117716.tif 000009